(57)【要約】【課題】気体・液体等の流れの中に在る物体を任意方向へ移動させたり・停止させたりするために、大量の燃料を必要としない方法の提供を目的とする。【解決手段】物体に「航空力学的作用を主とする可変式の翼」と「意図的に渦流を発生させるための形状可変式の翼と形状可変式の凹凸部」を複数備えさせ、かつコンピューター制御式フィードバックシステムに連動させたメカニズムを用いて、流れの状態に対応させて可変式の翼や形状可変式の翼および形状可変式の凹凸部の長さ・幅・ピッチング・形状・曲面部直径・深さの変更等を適宜敏速に行わせることで、物体が任意方向への移動や停止に必要な前後・左右・上下方向の力を、流れの作用力を利用して得る方法である。【選択図】なし【特許請求の範囲】
【請求項１】
物体には「航空力学的・流体力学的作用を主とする可変式の翼」と、「主として意図的に渦流を発生させるための形状可変式の翼」および「主として意図的に渦流を発生させるための形状可変式の凹凸部」を夫々複数備え、かつ備えてあるコンピューター制御式フィードバックシステムに連動させたメカニズムを用いて、流れの状態に対応させて可変式の翼の長さ・幅・ピッチング（流れに対する翼の迎え角等の変更）等の変更、形状可変式の翼の湾曲面の長さ・幅・曲面部直径等の変更および形状可変式の凹凸部の長さ・幅・形状・曲面部直径・深さ等の変更を適宜敏速に行わせることで、物体が任意方向への移動や停止に必要な前後・左右・上下方向の力を流れの作用力を利用して得る方法、すなわち「流れの力を利用した物体の任意方向への移動と停止の方法」である。
【請求項２】
物体には「航空力学的・流体力学的作用を主とする可変式の翼」と「主として意図的に渦流を発生させるための形状可変式の翼」を夫々複数備え、かつ備えてあるコンピューター制御式フィードバックシステムに連動させたメカニズムを用いて、流れの状態に対応させて可変式の翼の長さ・幅・ピッチング（流れに対する翼の迎え角等の変更）等の変更および形状可変式の翼の湾曲面の長さ・幅・曲面部直径等の変更等を適宜敏速に行わせることで、物体が任意方向への移動や停止に必要な前後・左右・上下方向の力を流れの作用力を利用して得る方法、すなわち「流れの力を利用した物体の任意方向への移動と停止の方法」である。
【請求項３】
物体には「航空力学的・流体力学的作用を主とする可変式の翼」と「主として意図的に渦流を発生させるための形状可変式の凹凸部」を夫々複数備え、かつ備えてあるコンピューター制御式フィードバックシステムに連動させたメカニズムを用いて、流れの状態に対応させて可変式の翼の長さ・幅・ピッチング（流れに対する翼の迎え角等の変更）等の変更、および形状可変式の凹凸部の長さ・幅・形状・曲面部直径・深さなどの変更を適宜敏速に行わせることで、物体が任意方向への移動や停止に必要な前後・左右・上下方向の力を流れの作用力を利用して得る方法、すなわち「流れの力を利用した物体の任意方向への移動と停止の方法」である。
【請求項４】
物体には「主として意図的に渦流を発生させるための形状可変式の翼」と「主として意図的に渦流を発生させるための形状可変式の凹凸部」を夫々複数備え、かつ備えてあるコンピューター制御式フィードバックシステムに連動させたメカニズムを用いて、流れの状態に対応させて形状可変式の翼の湾曲面の長さ・幅・曲面部直径等の変更および形状可変式の凹凸部の長さ・幅・形状・曲面部直径・深さなどの変更を適宜敏速に行わせることで、物体が任意方向への移動や停止に必要な前後・左右・上下方向の力を流れの作用力を利用して得る方法、すなわち「流れの力を利用した物体の任意方向への移動と停止の方法」である。
【請求項５】
物体には「主として意図的に渦流を発生させるための形状可変式の翼」を複数備え、かつ備えてあるコンピューター制御式フィードバックシステムに連動させたメカニズムを用いて、流れの状態に対応させて形状可変式の翼の湾曲面の長さ・幅・曲面部直径等の変更を適宜敏速に行わせることで、物体が任意方向への移動や停止に必要な前後・左右・上下方向の力を流れの作用力を利用して得る方法、すなわち「流れの力を利用した物体の任意方向への移動と停止の方法」である。
【請求項６】
物体には「主として意図的に渦流を発生させるための形状可変式の凹凸部」を複数備え、かつ備えてあるコンピューター制御式フィードバックシステムに連動させたメカニズムを用いて、流れの状態に対応させて形状可変式の凹凸部の長さ・幅・形状・曲面部直径・深さなどの変更を適宜敏速に行わせることで、物体が任意方向への移動や停止に必要な前後・左右・上下方向の力を流れの作用力を利用して得る方法、すなわち「流れの力を利用した物体の任意方向への移動と停止の方法」である。
【発明の詳細な説明】
【技術分野】
【０００１】  本発明は、流れの力を利用した物体の任意方向への移動と停止の方法に関するものである。
【背景技術】
【０００２】  気体・液体等の流れの中に在る物体を任意方向へ移動させたり・停止させたりするための方法としては、物体の移動や停止に際してエンジンやモーターなどの装置（動力源）を用いて行う方法がある。しかし、この方法を行わせるためには装置（動力源）の稼動に際して大量の燃料が必要となる。【０００３】  すなわち、これまで気体・液体等の流れの中に在る物体を任意方向へ移動させたり・停止させたりする方法としては、ジェット噴流やプロペラの回転あるいは羽ばたき動作等を発生させるためのエンジンやモーター等の装置（動力源）の稼動が必要であった。
【発明の開示】
【発明が解決しようとする課題】
【０００４】  しかし、気体・液体等の流れの中に在る物体を任意方向へ移動させたり・停止させたりするために、大量の燃料を必要としない方法は見あたらない。
つまり、流れの中にある物体の移動や停止に必要な力を得るために大量の燃料を必要としない方法は、工業的・産業的・商業的・経済的面からも極めて重要な方法である。【０００５】  そのため本発明は、気体・液体等の流れの中に在る物体を任意方向へ移動させたり・停止させたりするために、大量の燃料を必要としない方法の提供を目的とする。
【課題を解決するための手段】
【０００６】請求項１の発明は、以下のものである。【０００７】  気体や液体等の流れの中にある飛行物体や航行物体等に備えられている航空力学的・流体力学的形状の翼は、ジェット噴流やプロペラの回転あるいは羽ばたき動作等を発生させるためのエンジンやモーター等の装置（動力源）の稼動無しに、それら複数を流れの中にあって如何様に組み合わせたり配置を工夫したりしても、結果として得られる物体への作用力は、流れと反対方向（以下、前進方向と呼ぶ）の力を分力として持たない揚力と抗力の合力のみである。すなわち流れの中にある物体は、備えられている航空力学的・流体力学的形状の複数の翼を、各種組み合わせたり配置を工夫したりして用いれば、上下方向・左右方向・流れと同じ方向（以下、後退方向と呼ぶ）、およびこれらの方向を組み合わせた方向への移動は可能となる。しかし、流れと反対の方向である前進方向への移動、および流れの中での停止を自在に行うことは出来ない。そのため、これまでは流れの中にある物体を任意方向へ移動させたり・停止させたりする方法としては、ジェット噴流やプロペラの回転あるいは羽ばたき動作等を発生させるためのエンジンやモーターなどの装置（動力源）等が必要な方法が実施されており、これらの方法の実施には装置（動力源）を稼動させるための大量の燃料が必要であった。【０００８】  本発明の方法は、物体が気体・液体等の流れの中にあって任意方向への移動や停止を自在に行うために必要な動力源としては、物体に対する流れの力の作用を利用する方法である。すなわち、物体に備えられた航空力学的・流体力学的な翼および意図的に渦流を発生させるための形状可変式の翼と形状可変式の凹凸部等に対して作用する流れの力は、揚力・抗力および主として渦流に起因して生じる前進力・横力等の多方向力を発生させるため、これらの各種・多方向の力を用いることで物体を任意方向へ移動させたり・停止させたりする方法である。【０００９】  そのために、本発明が対象とする物体には「航空力学的・流体力学的作用を主とする可変式の翼、および主として意図的に渦流を発生させるための形状可変式の翼と形状可変式の凹凸部」を夫々複数備えており、又それ等を自在にコントロールする装置が備えられている。【００１０】  すなわち、物体が気体・液体等の流れの中にあっては、物体に備えられた複数の「航空力学的・流体力学的作用を主とする可変式の翼、および主として意図的に渦流を発生させるための形状可変式の翼と形状可変式の凹凸部」に対して作用する流れの力を利用することにより、物体の移動や停止に必要な揚力や抗力および意図的に発生させる渦流に起因して生じる前進力・横力等、各種・多方向への力を発生させることが出来る。【００１１】  本発明における「航空力学的・流体力学的作用を主とする可変式の翼、および主として意図的に渦流を発生させるための形状可変式の翼と形状可変式の凹凸部」を、以下のように詳しく説明する。【００１２】  一番目の種類である「可変式の翼」は、流れの力の作用で主として揚力等の力を発生させるための翼、すなわち通常の航空力学的・流体力学的性能を主として有する「可変式の翼」である。この翼は流れの状態に対応して、翼の長さや幅およびピッチング（流れに対する翼の迎え角等の変更）等の変更を自在に変更することが出来る構造であり、それらは物体上で「可変式の翼」の設置目的に沿うように複数の配置がなされている。【００１３】  二番目の種類である「意図的に渦流を発生させるための形状可変式の翼」は、流れの力の作用で主として渦流を発生させるための翼、すなわち通常の航空力学的・流体力学的性能を主とする「可変式の翼」とは異なり、流れの作用により渦流を意図的に翼面上で発生させるのに適した湾曲形状を有する翼である。この翼は流れの状態に対応して、翼の湾曲面の長さ・幅・曲面部直径等を必要に応じて自在に変更することが出来る構造であり、それらは物体上で「意図的に渦流を発生させるための形状可変式の翼」の設置目的に沿うように複数の配置がなされている。【００１４】  三番目の種類である「意図的に渦流を発生させるための形状可変式の凹凸部」は、流れの力の作用で主として渦流を発生させるための凹凸部、すなわち渦流発生に適した任意の曲面形状を、必要に応じて物体表面上で自在に形成できる機能を持つ形状可変式の凹凸部である。この形状可変式の凹凸部は流れの状態に対応して、凹凸部の湾曲面の形状・長さ・幅・曲面部直径・深さ等を自在に変更することが出来る構造であり、それらは物体上で「意図的に渦流を発生させるための形状可変式の凹凸部」の設置目的に沿うように複数の配置がなされている。【００１５】  すなわち、流れの中にある物体が有する渦流発生を主たる目的とした「形状可変式の翼」と「形状可変式の凹凸部」に対して流れの力が作用すると、それらの曲面上に発生した渦流は曲面に対して負の圧力を発生させる。つまり発生した渦流は、その中心軸方向に対する合力として負の力を翼や凹凸部の曲面に対して作用することになる。したがって、流れの方向に対する負の方向、すなわち反対方向への力である前進力あるいは横力などを分力として持つ合力を発生させるように、「形状可変式の翼」と「形状可変式の凹凸部」を物体上に複数配置すれば、結果として複数の多方向への力を物体に対して作用させることが可能となる。【００１６】  したがって、通常の航空力学的・流体力学的性能を有する「可変式の翼」が主として生じる揚力や抗力と共に、この「意図的に渦流を発生させるための形状可変式の翼と形状可変式の凹凸部」が主として発生させる渦流に起因して生じる揚力・抗力および前進力・横力等の複数の多方向への力を併せ用いることで、流れの中に在る物体を任意方向へ移動させたり・停止させたりするための力として用いることが可能となる。【００１７】  すなわち、物体を任意方向へ移動させたり・停止させたりするために必要な前後・左右・上下方向の力は、物体に備えられた複数の「航空力学的・流体力学的作用を主とする可変式の翼、および主として意図的に渦流を発生させるための形状可変式の翼と形状可変式の凹凸部」によって発生させられた揚力・抗力、および前進力・横力等の各種・複数の多方向の力を技術的に組み合わせことで得ることが出来るわけである。【００１８】  これらの発生させられた各種・複数の多方向の力を、物体の任意方向への移動や停止に必要な方向への力として用いるための技術的方法は、コントロール装置に備えられたコンピューター制御式フィードバックシステムに依る方法である。流れの中に在る物体周囲の流れの状態に対応させて、このフィードバック制御システムに連動させた「航空力学的・流体力学的作用を主とする可変式の翼、および主として意図的に渦流を発生させるための形状可変式の翼と形状可変式の凹凸部」の可変構造のメカニズムを作動させることにより、これらの翼や凹凸部の長さ・幅・ピッチング・形状・曲面部直径・深さ等の変更を適宜敏速に行わせことが出来るために、物体が目的とする任意の方向への移動や停止を行うために必要な前後・左右・上下方向の力を得る技術システムである。【００１９】  すなわち、本発明におけるコンピューター制御式フィードバックシステムは、「航空力学的・流体力学的作用を主とする可変式の翼、および主として意図的に渦流を発生させるための形状可変式の翼と形状可変式の凹凸部」の周辺部、および物体周辺部から遠方に至る広範囲な測定域を有する３次元流れ状態監視装置と気象監視装置からの情報、更に物体の３次元位置・回転角度・傾斜角度等の情報とを、現時点および予測される流れ状態や気象状態の変化も含めて総合的に判断して、「航空力学的・流体力学的作用を主とする可変式の翼、および主として意図的に渦流を発生させるための形状可変式の翼と形状可変式の凹凸部」の長さ・幅・ピッチング・形状・曲面部直径・深さ等の変更を適宜敏速に行わせるメカニズムを稼動させることで、物体に対して目的とする任意方向への移動や停止を行わせるための力を発生させるシステムである。【００２０】  以上のように、本発明は物体が気体・液体等の流れの中にあって、物体に備えられた複数の「航空力学的・流体力学的作用を主とする可変式の翼、および主として意図的に渦流を発生させるための形状可変式の翼と形状可変式の凹凸部」に対する流れの力の作用によって生じる揚力・抗力および前進力・横力等の複数の多方向の力を、コントロール装置に備えられたコンピューター制御式フィードバックシステムを用いて、「航空力学的・流体力学的作用を主とする可変式の翼、および主として意図的に渦流を発生させるための形状可変式の翼と形状可変式の凹凸部」の長さ・幅・ピッチング・形状・曲面部直径・深さの変更等を適宜敏速に行わせるメカニズムを連動させることで得るという、大量の燃料を必要とせずに流れの力を利用して行わせることが出来る点で省エネルギー的な技術システムによる方法を構築しており、工業的・産業的・商業的・経済的面からも極めて重要な「流れの力を利用した物体の任意方向への移動と停止の方法」である。【００２１】請求項２の発明は、以下のものである。【００２２】  「航空力学的・流体力学的作用を主とする可変式の翼、および主として意図的に渦流を発生させるための形状可変式の翼と形状可変式の凹凸部」を、「航空力学的・流体力学的作用を主とする可変式の翼、および主として意図的に渦流を発生させるための形状可変式の翼」に代替した、請求項１に記載した「流れの力を利用した物体の任意方向への移動と停止の方法」である。【００２３】請求項３の発明は、以下のものである【００２４】  「航空力学的・流体力学的作用を主とする可変式の翼、および主として意図的に渦流���発生させるための形状可変式の翼と形状可変式の凹凸部」を、「航空力学的・流体力学的作用を主とする可変式の翼、および主として意図的に渦流を発生させるための形状可変式の凹凸部」に代替した、請求項１に記載した「流れの力を利用した物体の任意方向への移動と停止の方法」である。【００２５】請求項４の発明は、以下のものである【００２６】  「航空力学的・流体力学的作用を主とする可変式の翼、および主として意図的に渦流を発生させるための形状可変式の翼と形状可変式の凹凸部」を、「主として意図的に渦流を発生させるための形状可変式の翼と形状可変式の凹凸部」に代替した、請求項１に記載した「流れの力を利用した物体の任意方向への移動と停止の方法」である。【００２７】請求項５の発明は、以下のものである【００２８】  「航空力学的・流体力学的作用を主とする可変式の翼、および主として意図的に渦流を発生させるための形状可変式の翼と形状可変式の凹凸部」を、「主として意図的に渦流を発生させるための形状可変式の翼」に代替した、請求項１に記載した「流れの力を利用した物体の任意方向への移動と停止の方法」である。【００２９】請求項６の発明は、以下のものである【００３０】  「航空力学的・流体力学的作用を主とする可変式の翼、および主として意図的に渦流を発生させるための形状可変式の翼と形状可変式の凹凸部」を、「主として意図的に渦流を発生させるための形状可変式の凹凸部」に代替した、請求項１に記載した「流れの力を利用した物体の任意方向への移動と停止の方法」である。
【発明の効果】
【００３１】  気体・液体等の流れの中に在る物体を任意方向へ移動させたり・停止させたりするための方法としては、その移動や停止に際してエンジンやモーターなどの装置（動力源）を基本的に用いて行う方法が実施されている。しかし、この方法を実施するためには装置（動力源）の稼動に際して大量の燃料が必要となる。すなわち、これまで気体・液体等の流れの中に在る物体を任意方向へ移動させたり・停止させたりする方法としては、ジェット噴流やプロペラの回転あるいは羽ばたき動作等を発生させるためのエンジンやモーター等の装置（動力源）の稼動が必要であった。【００３２】  それに対して本発明の方法は、流れの中にある物体に備えられた複数の「航空力学的・流体力学的作用を主とする可変式の翼、および主として意図的に渦流を発生させるための形状可変式の翼と形状可変式の凹凸部」等をコンピューター制御式フィードバックシステムと、それに連動したメカニズムを用いて流れの状態に対応させて可変式の翼の長さ・幅・ピッチング（流れに対する翼の迎え角等の変更）等の変更、形状可変式の翼の湾曲面の長さ・幅・曲面部直径等の変更、および形状可変式の凹凸部の長さ・幅・形状・曲面部直径・深さ等の変更を適宜敏速に行わせることで、物体が任意方向への移動や停止に必要な力を流れの作用力を利用して得る方法である。すなわち、本発明の方法である「流れの力を利用した物体の任意方向への移動と停止の方法」は、この方法を実行するに際しては大量の燃料を必要としない省エネルギー的方法であるために、工業的・産業的・商業的・経済的面で地球規模における貢献が極めて大きい方法である。
【発明を実施するための最良の形態】
【００３３】  本発明における実施の形態について、具体的に説明する。尚、以下に説明する実施の形態は、特許請求範囲に記載された本発明の内容を限定するものではない。
【実施例１】
【００３４】  物体には「航空力学的・流体力学的作用を主とする可変式の翼」と、「主として意図的に渦流を発生させるための形状可変式の翼」および「主として意図的に渦流を発生させるための形状可変式の凹凸部」を夫々複数備え、かつ備えてあるコンピューター制御式フィードバックシステムに連動させたメカニズムを用いて、流れの状態に対応させて可変式の翼の長さ・幅・ピッチング（流れに対する翼の迎え角等の変更）等の変更、形状可変式の翼の湾曲面の長さ・幅・曲面部直径等の変更および形状可変式の凹凸部の長さ・幅・形状・曲面部直径・深さ等の変更を適宜敏速に行わせることで、物体が任意方向への移動や停止に必要な前後・左右・上下方向の力を、流れの作用力を利用して得る方法である。
【実施例２】
【００３５】  物体には「航空力学的・流体力学的作用を主とする可変式の翼」と、「主として意図的に渦流を発生させるための形状可変式の翼」を夫々複数備え、かつ備えてあるコンピューター制御式フィードバックシステムに連動させたメカニズムを用いて、流れの状態に対応させて可変式の翼の長さ・幅・ピッチング（流れに対する翼の迎え角等の変更）等の変更および形状可変式の翼の湾曲面の長さ・幅・曲面部直径等の変更等を適宜敏速に行わせることで、物体が任意方向への移動や停止に必要な前後・左右・上下方向の力を、流れの作用力を利用して得る方法である。
【実施例３】
【００３６】  物体には「航空力学的・流体力学的作用を主とする可変式の翼」と「主として意図的に渦流を発生させるための形状可変式の凹凸部」を夫々複数備え、かつ備えてあるコンピューター制御式フィードバックシステムに連動させたメカニズムを用いて、流れの状態に対応させて可変式の翼の長さ・幅・ピッチング（流れに対する翼の迎え角等の変更）等の変更、および形状可変式の凹凸部の長さ・幅・形状・曲面部直径・深さなどの変更を適宜敏速に行わせることで、物体が任意方向への移動や停止に必要な前後・左右・上下方向の力を、流れの作用力を利用して得る方法である。
【実施例４】
【００３７】  物体には「主として意図的に渦流を発生させるための形状可変式の翼」と「主として意図的に渦流を発生させるための形状可変式の凹凸部」を夫々複数備え、かつ備えてあるコンピューター制御式フィードバックシステムに連動させたメカニズムを用いて、流れの状態に対応させて形状可変式の翼の湾曲面の長さ・幅・曲面部直径等の変更および形状可変式の凹凸部の長さ・幅・形状・曲面部直径・深さなどの変更を適宜敏速に行わせることで、物体が任意方向への移動や停止に必要な前後・左右・上下方向の力を、流れの作用力を利用して得る方法である。
【実施例５】
【００３８】  物体には「主として意図的に渦流を発生させるための形状可変式の翼」を複数備え、かつ備えてあるコンピューター制御式フィードバックシステムに連動させたメカニズムを用いて、流れの状態に対応させて形状可変式の翼の湾曲面の長さ・幅・曲面部直径等の変更を適宜敏速に行わせることで、物体が任意方向への移動や停止に必要な前後・左右・上下方向の力を、流れの作用力を利用して得る方法である。
【実施例６】
【００３９】  物体には「主として意図的に渦流を発生させるための形状可変式の凹凸部」を複数備え、かつ備えてあるコンピューター制御式フィードバックシステムに連動させたメカニズムを用いて、流れの状態に対応させて形状可変式の凹凸部の長さ・幅・形状・曲面部直径・深さなどの変更を適宜敏速に行わせることで、物体が任意方向への移動や停止に必要な前後・左右・上下方向の力を、流れの作用力を利用して得る方法である。
【産業上の利用可能性】
【００４０】  高い場所にアンテナ等を設置する際には、気流の影響でアンテナの位置が変動したり、あるいは導線のねじれ等が生じたりするのを防ぐために強固な鉄塔等が必要である。しかし本発明で示した方法を、アンテナ等を帯同した筐体（気球や飛行船等）に適用すると気流の作用を受けても目的とする位置に停止していることが出来るために、アンテナの位置の変動あるいは導線のねじれ等が生じるのを防止することが出来ることから、高い場所におけるアンテナ等の設置費用を安価に抑えることが出来る。【００４１】  海中や河川の流れの中等に発電機を投入して発電を行う場合には、流れの中における発電機の位置の固定や確保、あるいは導線のよじれなどを発生させないためには強固な支持建造物が必要である。しかし本発明で示した方法を、発電機を帯同した筐体に適用すると、流れの中に在る筐体の位置を目的の位置に固定や確保が容易に出来ることや、導線のよじれなどが発生しないために安定した水力発電が可能となり、水力発電装置の設置費用を安価に抑えることが出来る。【００４２】  大気中における一般的な風・偏西風・季節風等による風の流れを利用して風力発電等を行う場合には、発電機を帯同した筐体（気球あるいは飛行船等）を風の流れの中で同じ位置に保持したり、風の流れに対して発電を行うことが可能であるような相対速度を維持できる位置に保持したり、あるいは発電に適した場所に筐体を移動させたりするには、プロペラやジェット噴流などを動力源として用いるために大量の燃料を必要とする。しかし本発明で示した方法を、発電機を帯同した筐体（気球や飛行船等）に適用すると筐体の位置を目的の位置に保持することや、流れに対して必要とする相対速度を維持できる位置に保持したりすること等が容易に行えるために効率の良い風力発電を行うことが出来ること、更には空中から地上に至る非常に長い導線の適当な箇所に本方法を複数適用することで、導線のねじれ等の発生を防止できることなどから安定した風力発電の実施が可能となり、同時に設置費用を安価に抑えることが出来る。【００４３】  台風・ハリケーン・サイクロン等が発生してから消滅するまでに有する風のエネルギーは、大気の自然循環が地球上で生むエネルギーであり、そのエネルギー量は非常に膨大で、かつ温暖化の原因とはならないクリーンなエネルギーである。このような台風・ハリケーン・サイクロン等のエネルギーを効率よく利用する方法は、これまでには見当たらない。【００４４】  すなわち、台風・ハリケーン・サイクロン等の発生から消滅に至るまでの期間あるいは途中の期間に対して、本発明で示した方法を風力発電機を帯同した筐体（気球や飛行船）に適用して台風・ハリケーン・サイクロン等と共に移動させながら発電を行わせれば、その期間で膨大な電気エネルギーを得ることが出来る。【００４５】  これらの台風・ハリケーン・サイクロン等と共に移動しながら筐体が発電した電気エネルギーは、必要に応じて適宜地上へ有線で送って利用することも可能である。あるいは、台風・ハリケーン・サイクロン等が其れらの周囲に帯同するのは本質的には雨雲であることから、筐体に付属した工場において風力発電による電気エネルギーを用いて雨水の電気分解を行うことにより、圧縮酸素と圧縮水素あるいは液体酸素と液体水素およびヘリウムや他の元素等の製造を行って、それらを適宜地上に送り出してクリーンなエネルギー源として利用したり、ヘリウムは気球や飛行船の浮力源として利用したりすることも可能である。【００４６】  すなわち本発明で示した方法を、水力発電機や風力発電機を帯同した筐体（気球や飛行船）に適用することにより、地球にとって負担とならない無限の自然エネルギーを利用することが出来る。【０４７】  超高層ビルや塔等は、風の影響を受けるための「ねじれ」や「しなり」を避けるために構造部材を多く必要とする。しかし本発明で示した方法を、これらの超高層ビルや塔等の適当な箇所に複数適用すれば、風の影響による「ねじれ」や「しなり」を防止することが出来るために、設置等の費用を安価に抑えることが可能となる。【００４８】  気球や飛行船などを利用した高所のプラットホーム等の建設は、それらを飛行場や居住域として利用したり出来る等の利点がある。しかし、風の流れの影響や気圧の影響等によるプラットホーム位置の変動を防いだりすることは技術的には可能ではあるものの、建設費用などの観点から実際に気球や飛行船などを利用した高所のプラットホーム等が利用されている例は見あたらない。そこで本発明で示した方法を、気球や飛行船などを利用した高所のプラットホームなどに適用すると、風の流れの影響や気圧の影響等による位置の変動等を容易に防止できることで実用化が容易であり、同時に設置等の費用を安価に抑えることが可能である。【００４９】  船や潜水艦などを利用した海上や海中におけるプラットホームや海中の筐体等は、それらを飛行場や居住域として利用したり出来る等の利点がある。しかし、波の影響や海流の流れの影響等による位置の変動を防いだりすることは技術的には可能ではあるものの、海上や海中におけるプラットホームや海中の筐体等は、建設費用などの観点から実際に利用されている例は見あたらない。そこで本発明で示した方法を、船や潜水艦などを利用した海上や海中におけるプラットホームや海中の筐体等に適用すると、波の影響や海流の流れの影響等による位置の変動等を容易に防止できることで実用化が用であり、同時に設置等の費用を安価に抑えることが可能である。【００５０】  以上のように、本発明で示した方法を実行するに際しては大量の燃料を必要としない省エネルギー的方法であるために、本発明は工業的・産業的・商業的・経済的面で地球規模における貢献が極めて大きい方法である。